(57)【要約】【課題】  ロック部材を回動するだけで上下掛合部を上下掛止部材の掛止溝に掛合でき、落下防止枠の閉鎖ロック操作が容易にできるようにする。【解決手段】  ラックＲの出入口Ｒａを開閉自在に塞ぐ落下防止枠７と、落下防止枠７の基部側をラックＲの支柱２に枢支する枢支具８と、落下防止枠７の自由端側をラックＲの棚材３に連結する連結具９とを備え、連結具９は、ラックＲの棚材３に取り付けた掛止部材２０と、落下防止枠７の自由端に支持されていて掛止部材２０と掛合・離脱自在に掛合するロック部材２１とを有する。掛止部材２０は上下一対設けられかつ水平方向に開放した掛止溝Ｋが形成され、ロック部材２１は、落下防止枠７に回動自在に支持された縦軸２１Ａと、この縦軸２１Ａに設けられかつ縦軸２１Ａが回動することにより上下各掛止溝Ｋに掛脱自在に掛合する上下掛合部Ｇとを有する。【選択図】図１
2018134145.tif 000002
【特許請求の範囲】
【請求項１】
支柱（２）間に複数段の棚材（３）を取り付けたラック（Ｒ）の出入口（Ｒａ）を開閉自在に塞ぐ落下防止枠（７）と、この落下防止枠（７）の基部側をラック（Ｒ）の支柱（２）に枢支する枢支具（８）と、落下防止枠（７）の自由端側をラック（Ｒ）の棚材（３）に連結する連結具（９）とを備えており、
前記連結具（９）は、ラック（Ｒ）の棚材（３）に取り付けた掛止部材（２０）と、落下防止枠（７）の自由端に支持されていて掛止部材（２０）と掛合・離脱自在に掛合するロック部材（２１）とを有する物品落下防止装置であって、
前記掛止部材（２０）は上下一対設けられかつ水平方向に開放した掛止溝（Ｋ）が形成されており、前記ロック部材（２１）は、落下防止枠（７）に回動自在に支持された縦軸（２１Ａ）と、この縦軸（２１Ａ）に設けられかつ縦軸（２１Ａ）が回動することにより上下各掛止溝（Ｋ）に掛脱自在に掛合する上下掛合部（Ｇ）とを有することを特徴とする物品落下防止装置。
【請求項２】
前記縦軸（２１Ａ）には回動操作用のハンドル（２４）が設けられ、このハンドル（２４）と落下防止枠（７）の自由端との間に、掛合部（Ｇ）を掛止部材（２０）に掛合させる方向に縦軸（２１Ａ）を回動付勢する付勢部材（２５）が設けられていることを特徴とする請求項１に記載の物品落下防止装置。
【請求項３】
前記縦軸（２１Ａ）は落下防止枠（７）の自由端の枠延長方向の外面に配置され、掛合部（Ｇ）が棚材（３）に向かいかつ掛止部材（２０）に掛合した状態で、前記ハンドル（２４）は落下防止枠（７）の自由端の枠延長位置から自由端の正面側へ延設されていることを特徴とする請求項１又は２に記載の物品落下防止装置。
【請求項４】
前記縦軸（２１Ａ）は外周面が矩形状に形成され、落下防止枠（７）の自由端側には縦軸（２１Ａ）を所要角度回動可能に支持する支持部材（２７）が上下複数設けられ、
前記下掛合部（Ｇ）の下部は下支持部材（２７Ｄ）の上面に載置されていることを特徴とする請求項１〜３のいずれか１項に記載の物品落下防止装置。
【請求項５】
前記上下掛合部（Ｇ）の少なくとも一方は縦軸（２１Ａ）に着脱自在に取り付けられていることを特徴とする請求項１〜４のいずれか１項に記載の物品落下防止装置。
【発明の詳細な説明】
【技術分野】
【０００１】
本発明は、ラックの出入口に配置される物品落下防止装置に関する。
【背景技術】
【０００２】
ラック用物品落下防止装置は、特許文献１に開示されているように、支柱間に複数段の棚材を取り付けたラックの出入口に配置される物品落下防止装置であって、左右縦杆とそれを連結する上下横杆とで枠形状に形成されていてラックの出入口を開閉自在に塞ぐ落下防止枠と、この落下防止枠の基部側をラックの支柱に枢支する上下一対の枢支具と、落下防止枠の自由端側をラックの棚材に連結する連結具とを有しており、前記連結具は、ラックの棚材の前面に取り付けた上下掛止部材と、落下防止枠の縦杆に支持されていて上下動又は回動することにより前記上下掛止部材と掛合・離脱自在に掛合するロック部材とを有している。
【０００３】
前記ロック部材は下端がストレート形状で、上端が逆Ｊ字状の掛合フックになっており、この掛合フックは上掛止部材の掛止孔に真上から挿脱される。
【先行技術文献】
【特許文献】
【０００４】
【特許文献１】特開２０１６−２２０５７号公報
【発明の概要】
【発明が解決しようとする課題】
【０００５】
前記従来技術は、ロック部材の上端の掛合フックは、上掛止部材の掛止孔に挿入するために上下移動だけでなく回動して掛止孔の真上へ位置合わせをしなくてはならなく、この位置合わせが困難かつ面倒な操作となっている。
また、掛合フックは上掛止部材の掛止孔の上方まで上移動しないといけないので、掛合フックに対する上掛止部材の上下方向の位置を正確にしなければならなく、複数段の棚材の間隔が違えば、その間隔に対応する掛合フックを用意しなくてはならなく、汎用性の低いものとなっている。
【０００６】
さらに、ロック部材は下端と上端の形状が異なるので、掛合操及び製作が面倒になっている。
本発明は、このような従来技術の問題点を解決できるようにした物品落下防止装置を提供することを目的とする。
本発明は、ロック部材を回動するだけで上下掛合部を上下掛止部材の掛止溝に掛合でき、落下防止枠の閉鎖ロック操作が容易にできる物品落下防止装置を提供することを目的とする。
【課題を解決するための手段】
【０００７】
本発明における課題解決のための具体的手段は、次の通りである。
第１に、支柱２間に複数段の棚材３を取り付けたラックＲの出入口Ｒａを開閉自在に塞ぐ落下防止枠７と、この落下防止枠７の基部側をラックＲの支柱２に枢支する枢支具８と、落下防止枠７の自由端側をラックＲの棚材３に連結する連結具９とを備えており、
前記連結具９は、ラックＲの棚材３に取り付けた掛止部材２０と、落下防止枠７の自由端に支持されていて掛止部材２０と掛合・離脱自在に掛合するロック部材２１とを有する物品落下防止装置であって、
前記掛止部材２０は上下一対設けられかつ水平方向に開放した掛止溝Ｋが形成されており、前記ロック部材２１は、落下防止枠７に回動自在に支持された縦軸２１Ａと、この縦軸２１Ａに設けられかつ縦軸２１Ａが回動することにより上下各掛止溝Ｋに掛脱自在に掛合する上下掛合部Ｇとを有することを特徴とする。
【０００８】
第２に、前記縦軸２１Ａには回動操作用のハンドル２４が設けられ、このハンドル２４と落下防止枠７の自由端との間に、掛合部Ｇを掛止部材２０に掛合させる方向に縦軸２１Ａを回動付勢する付勢部材２５が設けられていることを特徴とする。
第３に、前記縦軸２１Ａは落下防止枠７の自由端の枠延長方向の外面に配置され、掛合
部Ｇが棚材３に向かいかつ掛止部材２０に掛合した状態で、前記ハンドル２４は落下防止枠７の自由端の枠延長位置から自由端の正面側へ延設されていることを特徴とする。
【０００９】
第４に、前記縦軸２１Ａは外周面が矩形状に形成され、落下防止枠７の自由端側には縦軸２１Ａを所要角度回動可能に支持する支持部材２７が上下複数設けられ、前記下掛合部Ｇの下部は下支持部材２７Ｄの上面に載置されていることを特徴とする。
第５に、前記上下掛合部Ｇの少なくとも一方は縦軸２１Ａに着脱自在に取り付けられていることを特徴とする。
【発明の効果】
【００１０】
本発明によれば、ロック部材を回動するだけで上下掛合部を上下掛止部材の掛止溝に掛合でき、落下防止枠の閉鎖ロック操作が容易にできる。
即ち、請求項１に係る発明は、掛止部材２０は上下一対設けられかつ水平方向に開放した掛止溝Ｋが形成されており、ロック部材２１は落下防止枠７に回動自在に支持された縦軸２１Ａに上下掛合部Ｇが形成され、縦軸２１Ａを回動することにより上下掛合部Ｇが上下各掛止溝Ｋに掛脱自在に掛合するので、ロック部材２１を回動するだけで上下掛合部Ｇを上下掛止部材２０の掛止溝Ｋに同時に掛合でき、落下防止枠７の閉鎖ロック、ロック解除の操作が容易にできる。
【００１１】
請求項２に係る発明は、縦軸２１Ａにはハンドル２４が設けられ、このハンドル２４と落下防止枠７の自由端との間に付勢部材２５が設けられているので、掛合部Ｇを掛止部材２０に掛合・離脱させる操作が容易にできる。
請求項３に係る発明は、掛合部Ｇが掛合した状態で、ハンドル２４は落下防止枠７の自由端の枠延長位置から自由端の正面側へ延設されているので、物品がラックＲの出入口Ｒａから突出してきてもハンドル２４が当たることはなく、ハンドル２４が不本意に回動されることを防止できる。
【００１２】
請求項４に係る発明は、縦軸２１Ａは外周面が矩形状に形成され、支持部材２７によって所要角度回動可能に支持されるので、縦軸２１Ａの回動過多を防止でき、下支持部材２７Ｄによって下掛合部Ｇの下部を載置するので、縦軸２１Ａの上下位置を適正に維持できる。
請求項５に係る発明は、上下掛合部Ｇの少なくとも一方は縦軸２１Ａに着脱自在に取り付けられているので、上下掛止部材２０Ｕ、２０Ｄの間隔調整、落下防止枠７に対する連結具９の組み込み等が容易にできる。
【図面の簡単な説明】
【００１３】
【図１】本発明の実施形態を示すラック出入口閉鎖状態の全体正面図である。
【図２】同全体平面図である。
【図３】物品落下防止装置の要部の正面図である。
【図４】物品落下防止装置の側面説明図である。
【図５】同要部の平面図である。
【図６】図３のＸ−Ｘ線断面図である。
【図７】物品落下防止装置のハンドルの斜視図である。
【図８】支持部材及び案内部材の平面説明図である。
【発明を実施するための形態】
【００１４】
以下、本発明の実施の形態を図面に基づいて説明する。
図１〜７において、物品落下防止装置１はラックＲの左右支柱２に対向状に一対取り付けられている。
ラックＲは、複数本の支柱２を立設しておいて、下段、上段等複数段に棚材３を取り付けて構成され、各段の棚材３は、ラックＲの支柱２間が物品を出し入れする出入口Ｒａとなっており、物品落下防止装置１は出入口Ｒａに回動開閉自在に配置されて、閉じ状態で地震時に出入口Ｒａから物品が落下するのを阻止する。
【００１５】
ラックＲは２本の支柱２間に幅の広い出入口Ｒａを形成する場合、左右各支柱２に物品落下防止装置１を対称状に装着し、左右落下防止枠７を観音開き状に開閉する。図１においては、左右対称の２台を物品落下防止装置１Ａ、物品落下防止装置１Ｂとして例示して
いる。
ラックＲに３本以上の支柱２が有る場合、中間の支柱２には２台の物品落下防止装置１Ａを背中合わせ対称状に装着する。
【００１６】
物品落下防止装置１（１Ａ、１Ｂ）は、それぞれ大別して、落下防止枠７と、落下防止枠７の基端側の上下一対の枢支具８と、落下防止枠７の自由端側の連結具９とを有している。
落下防止枠７は、四角管材（四角パイプ）製の左右一対の縦杆５と、左右縦杆５の上下端部を連結する上下一対の横杆６とで四角枠形状に形成され、左右縦杆５間の中間位置に上下横杆６を連結する補助縦杆１６が設けられている。縦杆５と横杆６とはともに四角パイプであり、溶着されている。上横杆６は上棚材３より上方に位置している。
【００１７】
図１、２において、上下一対の枢支具８は、落下防止枠７の基部側（枢支側）をラックＲの支柱２に枢支している。上下各枢支具８は、支柱２に上下位置変更可能に固定された台体１２と、この台体１２と落下防止枠７とを連結する蝶番１３とを有する。
図１〜６において、連結具９は、ラックＲの上下の棚材３の前面に取り付けた上下掛止部材２０（２０Ｕ、２０Ｄ）と、落下防止枠７の縦杆５に支持されたひとつのロック部材２１とを有する。
【００１８】
上下掛止部材２０（２０Ｕ、２０Ｄ）は同一形状であって、棚材３の前面に取り付けられる取付板３２に掛止板３１を側面視Ｔ字状に溶着している。掛止板３１は水平な板材であり、平面視矢先形状であり、後辺側に取付板３２との間に水平方向に開放した掛止溝Ｋが形成され、前辺側に傾斜状の当接部２０ａと受け部２０ｂとが形成されている。
前記掛止溝Ｋは奥部がロック部材２１の直後に位置し、当接部２０ａは掛止溝Ｋの前側でその左右幅は掛止溝Ｋの長さより広く形成されている。
【００１９】
受け部２０ｂは閉鎖時の落下防止枠７の縦杆５を受ける面であり、当接部２０ａは受け部２０ｂより突出した位置から掛止溝Ｋの開放端側へ傾斜している。即ち、掛止溝Ｋの奥部を基準にして、当接部２０ａは正面前方から後方へかつ受け部２０ｂから離れる方向に傾斜している。
前記ロック部材２１は、縦杆５に沿う縦長のストレート形状の角棒、角パイプ等で形成された縦軸２１Ａと、この縦軸２１Ａに設けられた上下掛合部Ｇとで形成され、縦軸２１Ａの下部にハンドル２４を取り付けている。
【００２０】
前記縦軸２１Ａは落下防止枠７の自由端の縦杆５の枠延長方向の外面に配置され、縦杆５に設けた複数の支持部材２７及び案内部材２８に回動自在に支持されている。
前記上下掛合部Ｇは丸棒材をコ字状に屈曲してその両端を縦軸２１Ａに連結したものであり、下掛合部Ｇはコ字状棒材の両端が縦軸２１Ａに溶接等により固着され、上掛合部Ｇは図４、６に示すように、両端に帯板をコ字状に屈曲した取り付け部Ｇａを有していて、縦軸２１Ａに対して着脱自在、上下位置変更自在に取り付けられている。
【００２１】
前記上下掛合部Ｇは縦軸２１Ａの回動軸心から径方向に離れかつ縦軸２１Ａと平行な部分が掛合部分であり、上下方向に長く形成されており、上下各掛止部材２０Ｕ、２０Ｄに形成された傾斜状当接部２０ａと当接しかつ水平方向に開放した掛止溝Ｋと掛合可能になっている。掛合部Ｇは上下方向に長い範囲で掛止部材２０と掛合可能である。
前記上下掛合部Ｇはロック部材２１が縦軸廻りに回動することにより移動することができ、縦軸２１Ａの背面側に位置する状態から当接部２０ａに当接して縦軸２１Ａの側方へ移動し、掛止溝Ｋに入ってその奥（縦軸２１Ａの背面側）まで移動し、落下防止枠７を閉鎖位置に固定する。逆に、縦軸２１Ａを人為的に回動して、上下掛合部Ｇを掛止溝Ｋの奥から掛止溝Ｋの先端を経て外方へ突出すと、掛合は解除されて落下防止枠７を開放可能にする。
【００２２】
ハンドル２４は丸棒材をコ字状に屈曲してその両端を縦軸２１Ａの下部に溶接等により固着されており、縦軸２１Ａから落下防止枠７の自由端の前側へ突出されている。
即ち、縦軸２１Ａは落下防止枠７の自由端の枠延長方向の外面に配置され、掛合部Ｇが縦軸２１Ａの直後の棚材３に向かって突出して掛止部材２０の掛止溝Ｋの奥に掛合した状態で、ハンドル２４は落下防止枠７の自由端の枠延長位置から自由端の正面側へ延設され
ており、この状態でハンドル２４は縦軸２１Ａから落下防止枠７の前側へ離れるように傾斜配置される。
【００２３】
この落下防止枠７の前側へ離れたハンドル２４は落下防止枠７に当接するまで回動操作することができ、その回動操作が掛止溝Ｋからの上下掛合部Ｇの離脱動作となる。なお、ハンドル２４の握り部分は落下防止枠７の自由端の縦杆５から外れた位置にあり、握り手が縦杆５と接触することがないように構成されている。
前記ハンドル２４と落下防止枠７の自由端との間に、掛合部Ｇを掛止部材２０に掛合させる方向に縦軸２１Ａを回動付勢する付勢部材２５が設けられている。付勢部材２５はコイルスプリングで形成され、縦軸２１Ａに嵌装され、その一端はハンドル２４に係止され、他端は下側案内部材２８に係止されている。
【００２４】
落下防止枠７の自由端の外面（縦杆５の縦軸２１Ａに面する面）には上下複数個の案内部材２８が設けられている。この案内部材２８は図４、８に示すように平面視略Ｃ字形状であり、中央の円穴２８ａの一部を開放して開口２８ｂを形成しており、円穴２８ａは断面角形状の縦軸２１Ａが入って回動が許容され、開口２８ｂは縦軸２１Ａの一辺は通過できるが対角線長より狭く、縦軸２１Ａが回動した状態では開口２８ｂから案内部材２８外へ離脱できない形状になっている。
【００２５】
前記上下案内部材２８と同様に落下防止枠７の自由端の外面に上下一対の支持部材２７が設けられている。この上下支持部材２７は縦軸２１Ａの上端と下端とを一定角度回動自在に支持するものである。
上下各支持部材２７は、図４〜６、８に示すように平面視略円形の穴２７ａが形成されており、この穴２７ａには１８０度偏位した位置に２つの三角状突起３０が形成されている。この各三角状突起３０は、縦軸２１Ａの掛合部Ｇの突出方向に直交しかつ落下防止枠７の幅方向（左右方向）に平行である規制面３０ａと、この規制面３０ａに対して鈍角で交差する逃げ面３０ｂとを有する。
【００２６】
２つの三角状突起の規制面３０ａは、前後方向の間隔が断面角形状の縦軸２１Ａが入って縦軸２１Ａの表裏２面と略近接する寸法であり、縦軸２１Ａは表裏２面が２つの規制面３０ａと当接することにより、縦軸２１Ａは掛合部Ｇを掛合させる方向の過大回動が規制される。
縦軸２１Ａは規制面３０ａに当接した位置から当接と反対方向に逃げ回動可能であり、ハンドル２４の回動操作による掛合部Ｇを離脱する方向の縦軸２１Ａの回動を規制する。なお、掛合部Ｇを離脱する方向の移動規制は、前記支持部材２７の逃げ面３０ｂで行ってもよいし、ハンドル２４が落下防止枠７の自由端の縦杆５に当接することにより行ってもよい。
【００２７】
前記下掛合部Ｇの下部は下支持部材２７Ｄに担持されており、下支持部材２７Ｄは縦軸２１Ａの下端を支持するものであり、また、縦軸２１Ａの下端に抜け止めピン３４が設けられ、縦軸２１Ａが上方移動して抜けるのを規制している。
物品落下防止装置１の操作方法を次に説明する。
物品落下防止装置１は、落下防止枠７を出入口Ｒａを開いた状態から閉じていくと、縦軸２１Ａに設けた上下掛合部Ｇが上下掛止部材２０Ｕ、２０Ｄの傾斜状当接部２０ａと当接し、付勢部材２５に抗して回動し、縦軸２１Ａは前後面が逃げ面３０ｂに近づく方向に回動する。
【００２８】
落下防止枠７をさらに閉じ方向に揺動すると、掛合部Ｇは掛止部材２０の当接部２０ａの先端を乗り越えて掛止溝Ｋに入り、縦軸２１Ａの直後に位置する掛止溝Ｋの奥に掛合する。このとき掛合部Ｇは縦軸２１Ａの直後に位置しかつ落下防止枠７の幅方向と直交し、縦軸２１Ａの前後面は支持部材２７の規制面３０ａと対面する。掛合部Ｇが掛止部材２０に掛合することにより、落下防止枠７は出入口Ｒａを閉鎖する姿勢になりかつその姿勢が維持される。
【００２９】
落下防止枠７が出入口Ｒａを閉鎖した状態では、ハンドル２４は縦軸２１Ａから落下防止枠７の自由端の前面側に突出しており、このハンドル２４を付勢部材２５に抗して落下防止枠７に近づく方向に回動操作すると、縦軸２１Ａの掛合部Ｇが掛止部材２０の掛止溝
Ｋの奥から先端側へ移動して離脱する。この掛合部Ｇが掛止溝Ｋの奥から先端側へ移動し後に、落下防止枠７の自由端を前方へ引くことにより、掛合部Ｇは掛止部材２０から離脱し、落下防止枠７は開放可能になる。
【００３０】
前記物品落下防止装置１の組立ては、縦軸２１Ａに下掛合部Ｇを固着しかつ上掛合部Ｇを外した状態で、縦軸２１Ａの上端を上支持部材２７Ｕの穴２７ａに挿入してゆき、その途中から縦軸２１Ａの中途部を上下案内部材２８の開口２８ｂから円穴２８ａ内に挿入してゆく。
縦軸２１Ａは上下案内部材２８に挿通すると落下防止枠７の自由端に沿うので、下端を下支持部材２７の穴２７ａに上側から挿入し、下支持部材２７Ｄの上面に下掛合部Ｇの下部を当接して担持させる。下支持部材２７の下方で縦軸２１Ａの下端に抜け止めピン３４を挿入して縦軸２１Ａの上方への動きを規制する。
【００３１】
その後に、上掛合部Ｇを縦軸２１Ａに装着し、縦軸２１Ａに予め嵌装しておいた付勢部材２５のコイルスプリングの一端をハンドル２４に係止し、他端を下側案内部材２８に係止する。
なお、本発明は前記実施形態における各部材の形状及びそれぞれの前後・左右・上下の位置関係は、図１〜８に示すように構成することが最良である。しかし、前記実施形態に限定されるものではなく、部材、構成を種々変形したり、組み合わせを変更したりすることもできる。
【００３２】
例えば、付勢部材２５のコイルスプリングは一端を縦軸２１Ａに係止し、他端を落下防止枠７の自由端側の縦杆５に係止してもよい。
前記ロック部材２１は、縦軸２１Ａの上下２箇所をクランク形状に屈曲して上下掛合部Ｇを形成してもよい。
前記ハンドル２４は、縦軸２１Ａにコ字形状の棒材を溶着して形成しているが、端部に嵌合装着部を形成した１本の棒材製のハンドルとし、縦軸２１Ａに上下位置調整自在に嵌合装着するようにしてもよい。
【符号の説明】
【００３３】
１      物品落下防止装置（１Ａ、１Ｂ）
２      支柱
３      棚材
５      縦杆
６      横杆
７      落下防止枠
８      枢支具
９      連結具
１２    台体
１３    蝶番
２０    掛止部材（２０Ｕ、２０Ｕ）
２０ａ  当接部
２０ｂ  受け部
２１    ロック部材
２１Ａ  縦軸
２４    ハンドル
２５    付勢部材
２７    支持部材（２７Ｄ、２７Ｕ）
２７ａ  穴
２８    案内部材
２８ａ  円穴
２８ｂ  開口
３０    三角状突起
３０ａ  規制面
３０ｂ  逃げ面
３１    掛止板
３４    抜け止めピン
Ｇ      掛合部
Ｇａ    取り付け部
Ｋ      掛止溝
Ｒ      ラック
Ｒａ    出入口
【図１】
2018134145.tif 000003
【図２】
2018134145.tif 000004
【図３】
2018134145.tif 000005
【図４】
2018134145.tif 000006
【図５】
2018134145.tif 000007
【図６】
2018134145.tif 000008
【図７】
2018134145.tif 000009
【図８】
2018134145.tif 000010